(57)【要約】      （修正有）【課題】現在使用されている、ほとんどのごみを収集する器具の開口部は、固定した一定の形状を有していることから、さまざまな状況に応じて使用することが困難で、且つ不便を感ずることがあったことからごみ袋を着脱できる小型・軽量で形状が自在なごみ袋ホルダーを提供する。【解決手段】弾性率の大きな弾性テープ４からなる枠体１と、ごみ袋２、魚網、農業用ネットを枠体１に装着する装着部材３とを組み合わせ、弾性テープ４の長さを変える事によって開口部１ｂの大きさ形状が大小自由になり、また柄を強く押さえることでも開口部１ｂが広く開き落葉樹の収集する時は広く開き、側溝の掃除時には溝巾に合うまで押さえて使用できる、ごみ袋を枠体１に固定する形状が自在なごみを収集する器具とする。【選択図】図１
2016047757.tif 000002
【特許請求の範囲】
【請求項１】
弾性率の大きな弾性テープからなる枠体と、ごみ袋を前記枠体に装着する装着部材とを備え、前記枠体に形成された開口穴の内側から外側に折り返したごみ袋の開口部を前記装着部材で固定することを特徴とする形状が自在なごみ袋ホルダー。
【請求項２】
前記弾性テープの横断面の形状が軒樋状であることを特徴とする請求項１記載の形状が自在なごみ袋ホルダー。
【請求項３】
前記弾性テープを弾性限度内で折り返すことにより前記枠体を形成し、弾性テープ両端を同じ方向に揃えて把手にしたものであることを特徴とする請求項１または２のいずれか１項記載の形状が自在なごみ袋ホルダー。
【請求項４】
前記弾性テープをループ状にすることにより前記枠体を形成し、弾性テープ両端を反対方向に重ね合わせるか若しくは対向させたものであることを特徴とする請求項１または２のいずれか１項記載の形状が自在なごみ袋ホルダー。
【請求項５】
前記弾性テープの横断面の形状が平坦であることを特徴とする請求項１、３または４のいずれか１項記載の形状が自在なごみ袋ホルダー。
【請求項６】
前記装着部材として永久磁石を用いることにより、前記枠体に磁気力でごみ袋開口部を枠体に固定する構成であることを特徴とする請求項１、２、３、４または５のいずれか１項記載の形状が自在なごみ袋ホルダー。
【発明の詳細な説明】
【技術分野】
【０００１】
本発明は、チリ、ゴミ、落ち葉等の飛散した物を収集する器具に関するものである。
【背景技術】
【０００２】
従来、ごみ等を収集するものとして、枠体とそれに装着されたごみ袋からなり形状が固定したところのごみを収集する器具がある（例えば特許文献１、２、３を参照）。
【先行技術文献】
【特許文献】
【０００３】
【特許文献１】特開平１１−１５１１８９
【特許文献２】特開２００１−３５３１２０
【特許文献３】実開平６−４２８０３
【発明の概要】
【発明が解決しようとする課題】
【０００４】
通常ごみを収集する場合、ちり取りでごみを収集し、それをさらに保管するためごみ袋へ移しかえる方法が取られる。この作業を効率的に行うため、金属製のちり取りの後部を開放しごみ袋を着脱できるちり取りがある（例えば、特許文献１を参照）が、形状が大きく携行するには不便である。形状を小さくしたものとして、掃入口を有するごみ袋を装着する枠とそれに装着されたごみ袋からなるちり取り（例えば、特許文献２を参照）があるが、枠の形状が固定していることから大きなごみ袋をとりつけた場合携行するには大きすぎる形状となる。また枠の形状が固定していることから、例えば公園の落ち葉を収集するとともに側溝のごみを収集することは困難である。さらに一定した形状を有していることから、ちり取りとして使用する器具をごみを投入する器具としていて用いることはできない。ごみを投入する器具として、ごみ袋を装着する枠とそれに装着されたごみ袋からなる器具がある（例えば、特許文献３を参照）。この枠に大きなごみ袋をとりつけた場合携行するには大きすぎる形状となる。またこのごみを投入する器具をちり取りとして用いることは出来ない。
【課題を解決するための手段】
【０００５】
上述した課題を解決するために、本発明に係る形状が自在なごみ袋ホルダーは以下の手段を有する。
【０００６】
第一の手段は、弾性率の大きな弾性テープからなる枠体と、ごみ袋を前記枠体に装着する装着部材とを備え、前記枠体に形成された開口穴の内側から外側に折り返したごみ袋の開口部を前記装着部材で固定することを特徴とする。これにより、ごみ袋ホルダーを小型・軽量にすることができ、枠体の形状を状況に応じて変形することができる。
【０００７】
第二の手段は、前記弾性テープの横断面の形状が軒樋状であることを特徴とする。前記形状を軒樋状にすることにより枠体の剛性を増強することができ、外力に対して枠体を変形しにくくすることができる。
【０００８】
第三の手段は、前記弾性テープを弾性限度内で折り返すことにより前記枠体を形成し、弾性テープ両端を同じ方向に揃えて把手にしたものであることを特徴とする。これにより、形状が自在なごみ袋ホルダーに外力を加えない場合の開口穴は閉じた状態になり、携行に適したものになる。ごみを掃き入れるときは、把手とは反対側に位置する枠体の先端部を地面に押しつけることにより開口穴は変形し地面と接触した部分がちり取り接地部にすることができる。
【０００９】
第四の手段は、前記弾性テープをループ状にすることにより前記枠体を形成し、弾性テープ両端を反対方向に重ね合わせるか若しくは対向させたものであることを特徴とする。これにより、ごみ袋ホルダーに外力を加えない場合のわずかに開口穴は開いた状態になり、ゴミを容易に投入することができる。開いた開口穴は外力により、長方形、正方形のように変形させることができ、外力を取り除いてもその形状を維持することができる。
【００１０】
第五の手段は、前記弾性テープの横断面の形状が平坦であることを特徴とする。前記横断面の形状を平坦にすることにより、前記枠体を小さな外力でもってなめらかに変形させることができる。
【００１１】
第六の手段は、前記装着部材として永久磁石を用いることにより、前記枠体に磁気力でごみ袋開口部を枠体に固定する構成であることを特徴とする。これにより、ごみ袋を強固に枠体へ固定することができ、ごみ袋を簡単に着脱することができる。
【発明の効果】
【００１２】
前記第一の解決手段によれば、本発明はごみ袋を弾性テープの枠体に係止した構造でであることから、ごみ袋ホルダーを小型・軽量にすることができ、枠体の形状を変えることができる。
【００１３】
前記第二の解決手段によれば、弾性テープの剛性を大きくすることができ、枠体は外力に対して変形しにくくすることができ、枠体の強度を増強させることができる。
【００１４】
前記第三の解決手段によれば、弾性テープの両端を同じ方向に揃えて把手にしたものであることから、携行のときは開口穴は閉じた状態であるが、ちり取りとして使用するときは把手とは反対側に位置する枠体の先端部を地面に押し付けて変形させることにより、開口穴は開き地面と接触した部分をちり取り接地部にすることができる。
【００１５】
前記第四の解決手段によれば、外力を加えないときの開口穴はわずかに開いた状態になり、開口穴に容易にゴミを投入することができる。
【００１６】
前記第五の解決手段によれば、弾性テープはなめらかに変形することから弾性テープをループ状にし、弾性テープ両端を反対方向に重ね合わせることにより、形成される開口穴を弾力のある円形にすることができる。
【００１７】
前記第六の解決手段によれば、永久磁石でできた装着部材と枠体との間の磁気力によりごみ袋の開口部を枠体に固定することから、ごみ袋を強固に枠体へ固定することができ、しかもごみ袋を簡単に着脱することができる。
【００１８】
本発明によれば、枠体に弾性率の大きなテープを用いることから、ちり取りを小型・軽量にすることができる。弾性テープの断面の形状を軒樋状にすることにより剛性を高めることができることから、枠体の強度を増強することができる。
【００１９】
テープの両端を同じ方向に揃えて把手にした場合、本発明のごみ袋ホルダーを携行するときは、開口穴は閉じた状態となり携行に支障をきたすことはなく、ゴミを収集するときは、把手とは反対側に位置する枠体の先端部を地面に押し付けてちり取り接地部に変形させることにより、ゴミの収集をたやすくすることができる。
【００２０】
弾性テープの両端を反対方向に重ね合わせるか若しくは対向させる場合、弾性テープはループ状になり、開口穴はわずかに開いた状態になる。携行のときまたは壁などに固定して使用する場合、開口穴はわずかに開いた状態になるので、ゴミの投入がし易くなる。
【００２１】
弾性テープの断面の形状を平坦にすると、弾性テープは外力に対してなめらかに変形することから、弾性テープの両端を反対方向に重ね合わせることにより、開口穴を弾力性のある円形にすることができる。
【００２２】
永久磁石でできた装着部材の磁気力でごみ袋の開口部を枠体に固定することから、ごみ袋を強固に枠体へ固定することができ、しかもごみ袋を簡単に着脱することができる。
【００２３】
このように弾性テープからなる枠体は外力に対して充分な強度を有し、ごみ袋ホルダーの使用状況に応じて枠体の形状を変形させることができる。これらのことから、前記課題を解決できる。
【００２４】
さらに、形状が自在なごみ袋ホルダーを保管する場合は、弾性テープを展張した状態にすることができることから保管のスペースを少なくすることができる。またホルダーを作製するコストを従来のホルダーに比較して安価にすることができる。
【図面の簡単な説明】
【００２５】
【図１】図１は、本発明実施例１で、枠体を地面より離したときの斜視図である。
【図２】図２は、本発明実施例１で、枠体を地面に押し付けたときの斜視図である。
【図３】図３は、枠体である弾性テープの斜視図である。
【図４】図４は、図３におけるＡ−Ａ端面の拡大図である。
【図５】図５は、本発明実施例２で、弾性テープの両端を反対方向に重ね合わせたときの斜視図である。
【図６】図６は、本発明実施例３に係る弾性テープ４の変形例で、図5におけるＢ−Ｂ端面の拡大図である。
【発明を実施するための形態】
【００２６】
以下、本発明の代表的な実施例１〜３を図１〜６を参照しながら説明する。なお、この実施の形態によって特許請求の範囲が限定されるものではない。
【実施例１】
【００２７】
実施例１は、前記解決手段の第一、第二および第三を実施した場合の例である。
【００２８】
先ず構造を説明する。図１は、本発明の実施例のうち実施例１にかかるごみ袋ホルダーが地面に接していない場合の斜視図である。本発明の実施例１のごみ袋ホルダーは、把手部１ａと開口部１ｂからなる枠体１と、開口部１ｂに挿入されたごみ袋２と、開口部１ｂに巻き付けたごみ袋２の開口部を外れないように固定する装着部材３である永久磁石から構成されている。
【００２９】
枠体１は図３に示す弾性テープ４を弾性限度内で折り返したものである。弾性テープの凸面を外側に折り返してもよいが、凹面を外側に折り返した方が枠体の形状が安定する。弾性テープの材質は剛性率の大きい金属を、使用する。
【００３０】
ごみ袋２は使い捨てのポリエチレン製等のごみ袋が考えられるが、このような使い捨てのごみ袋に限らず底部分が開閉可能な農業用の防風ネットや漁網でできた袋を用いることで、河の中の掃除  及び魚とりにも使用することができる。
【００３１】
装着部材３の永久磁石として、吸着力の大きいネオジム磁石を防錆し衝撃による破損保護を施したものがあるが、それに限られない。
【００３２】
把手部は弾性テープの両端をそのまま把手としてもよいが、把手部が開かないように金属環に弾性テープの両端を挿入する方法がある。また把手部を別の部材で作製し、それに弾性テープの両端を保持させる方法がある。
【００３３】
次ぎに使用方法を説明する。本発明の形状が自在なごみ袋ホルダーを携行するときは図１に示すように開口穴が閉じた状態である。ごみを収集するときは、本発明の形状が自在なごみ袋ホルダーを図２のように地面に押し付けることにより開口部が開き、開口部１ｂの先端部１ｃがちり取り接地部１ｄを形成する。ちり取り接地部は地面と密接することから、ごみを効率よくかつ容易にごみ袋の中へ掃き入れたり、ごみを挿入したりすることができる。ごみ袋がごみで満たされると装着部材３を外し、ごみ袋を交換する。底が開閉可能な農業用の防風ネットや漁網でできた袋を用いた場合は、底の開閉部分を開くことにより、ごみを取り除くことができる。
【００３４】
実施例１によれば、弾性率の大きな弾性テープで枠体を形成させることから軽量である。しかもその弾性テープを弾性限度内で折り返していることから本発明のごみ袋ホルダーは携行時には小型となる。また弾性テープの断面が軒樋状であるため、軽量であるにも関わらず剛性の大きなごみ袋ホルダーを形成する。
【００３５】
本発明の形状が自在なごみ袋ホルダーは、収集するごみの状況に応じてちり取り接地部の幅を変化できる。平坦な地面に枠体の先端部を大きく押し付けることによりちり取り接地部が広くなり落葉樹等を、一度に多く入れることができる。平坦でない地面においてもちり取り接地部を地面に密接させることができる。更に、傾斜地においてもちり取り接地部を地面に密接させることができる。従来のちり取りでは側溝の掃除は不可能であったが、本発明の形状が自在なごみ袋ホルダーでは、側溝の幅に応じてちり取り接地部の幅を合わせることができる。
【実施例２】
【００３６】
実施例２は、前記解決手段の第四を実施した場合の例であり、図５は、実施例２に係る枠体の斜視図である。弾性テープの両端を反対方向に重ね合わせ弾性テープをループ状にしたものである。弾性テープの凸面を外側にしてループを形成してもよいが、凹面を外側にしてループを形成する方が枠体の形状が安定する。
【００３７】
実施例２によれば、枠体に外力を加えない状態では開口穴はわずかに開いていることから、片方の手で本発明のごみ袋ホルダーを携行し、もう片方の手でごみを拾い開口穴へ投入することができる。
【００３８】
実施例２の応用として、弾性テープの両端を別部材で作製した把手によって固定する方法や、弾性テープの両端に壁掛け用のフックをとりつけ、本発明の形状が自在なゴミ袋ホルダーを壁にかけて使用することができる。
【実施例３】
【００３９】
実施例３は、前記解決手段の第五を実施した例であり、図６は弾性テープの断面図である。実施例２の図４における弾性テープの断面を平坦にしたものである。実施例２に比較して枠体はしなやかになり、開口穴の形状は変形しやすい円形になる。
【００４０】
上記実施例１から３は、ごみ袋の係止手段として永久磁石を用いているが、第二の係止手段として、２重にした弾性テープで係止手段とすることができる。弾性テープ２つを重ねて１つの枠体とし、２つの弾性テープが装着部材を構成する。開口穴にごみ袋を開口部を入れ、その開口部を外側へ折り返し、内側の弾性テープと外側の弾性テープの間にはさみこんでごみ袋を固定する。この場合、弾性テープを着磁し、互いに吸着させることによりごみ袋をより強固に係止することができる。
【００４１】
第三の係止手段として、突起物を有する弾性テープを係止手段にすることができる。弾性テープに複数の突起物を形成し、それを枠体の外側に配置することによりごみ袋がごみの重みによりずれ落ちることを防止することができる。
【００４２】
第四の係止手段として、着脱自在な複数のクリップを係止手段にすることができる。枠体の外側に折り返したごみ袋と枠体をクリップで鋏持することにより、ごみ袋がゴミの重みによりずれ落ちること防止することができる。
【００４３】
第五の係止手段として、粘着テープ付きのごみ袋を係止手段にすることができる。前記枠体の開口穴内側から外側にごみ袋を折り返した後、粘着テープをごみ袋の内側部に粘着させることにより、ごみ袋を枠体に固定することができる。
【００４４】
第六の係止手段として、開口部を折り返して溶着することにより作成したごみ袋開口部の袋綴じ部を係止手段にすることができる。袋状ごみ袋開口部の袋綴じ部に弾性テープを通した後、弾性テープの両端を固定することにより枠体にすることができる。
【符号の説明】
【００４５】
１        枠体
１ａ      把手部
１ｂ      開口部
１ｃ      先端部
１ｄ      ちり取り接地部
２        ごみ袋
３        装着部材
４        弾性テープ
５        把手
【図１】
2016047757.tif 000003
【図２】
2016047757.tif 000004
【図３】
2016047757.tif 000005
【図４】
2016047757.tif 000006
【図５】
2016047757.tif 000007
【図６】
2016047757.tif 000008